(57)【要約】【課題】折り畳んだ際の面積を可及的に小さくでき、ワンタッチで折り畳み操作が可能な折り畳み椅子を実現する。【解決手段】前脚３と後ろ脚５を互いの中間部分で軸着することによりＩ字状からＸ字状に回動する脚部１と、上記脚部上に配される座面１０、背もたれ１４及び肘掛け１６からなり、座面後部に対し前脚上部及び背もたれ下部を軸着することにより脚部と共に座面及び背もたれをＩ字状に閉じることを可能とし、後ろ脚上部と座面の前方下部には、脚部をＸ字状に開いた際に後ろ脚上部とこれに載置される座面を係止する係止手段６、２０を設け、アーム状の肘掛けの前後端を後ろ脚上部と背もたれ中間部に軸着することにより、後ろ脚と背もたれを連結する。【選択図】      図１
2004344438.tif 000002
【特許請求の範囲】
【請求項１】
前脚と後ろ脚を互いの中間部分で軸着することによりＩ字状からＸ字状に回動する脚部と、上記脚部上に配される座面、背もたれ及び肘掛けからなり、座面後部に対し前脚上部及び背もたれ下部を軸着することにより脚部と共に座面及び背もたれをＩ字状に閉じることを可能とし、後ろ脚上部と座面の前方下部には、脚部をＸ字状に開いた際に後ろ脚上部とこれに載置される座面を係止する係止手段を設け、アーム状の肘掛けの前後端を後ろ脚上部と背もたれ中間部に軸着することにより、後ろ脚と背もたれを連結したことを特徴とする折り畳み椅子。
【請求項２】
後ろ脚上部に係止部材を設けると共に、脚部をＸ字状に開いて後ろ脚上部に座面を載置する際に、上記係止部材が嵌入される係止用の溝を座面前方下部に設けることにより、後ろ脚上部と座面の前方下部の係止手段とした請求項１記載の折り畳み椅子。
【請求項３】
肘掛けを上方に湾曲した形状に構成すると共に、その前後端を後ろ脚上部と背もたれ中間部に軸着するに際し、軸着位置を脚部、座面、背もたれより外側に設定した請求項１又は２記載の折り畳み椅子。
【請求項４】
前脚と後ろ脚を軸着するに際し、後ろ脚を前脚の内側に位置させると共に、座面後部に対し前脚上部及び背もたれ下部を軸着するに際し、座面後部に上下に張り出し片を突設した軸着金具を結合し、上記張り出し片にそれぞれ前脚上部及び背もたれ下部を軸着することにより、脚部と共に座面及び背もたれをＩ字状に閉じた際に、座面の上面及び下面にそれぞれ背もたれ及び前脚が重合すると共に、前脚の内側に後ろ脚が納まるようにした請求項１から３の何れかに記載の折り畳み椅子。
【請求項５】
ピンで互いに回動自在に連結される一対の軸着金具のそれぞれを、後ろ脚上部と肘掛けの前部に結合することにより、後ろ脚上部と肘掛けの軸着手段とし、上記ピンの長さを座面前方下部に設けられる係止用の溝に嵌入可能な長さとすることにより、後ろ脚上部と座面の前方下部の係止手段を構成する後ろ脚上部の係止部材を兼ねさせた請求項２から４の何れかに記載の折り畳み椅子。
【請求項６】
座面後部と前脚上部及び背もたれ下部の軸着、肘掛けの前後端と後ろ脚上部及び背もたれ中間部の軸着にあたり、金属製の軸着金具を木製の座面の後端、木製の前脚の上端、木製の後ろ脚の上端、木製の背もたれの下端、木製の肘掛けの前後端に結合した請求項２から５の何れかに記載の折り畳み椅子。
【発明の詳細な説明】
【０００１】
【発明の属する技術分野】
この発明は折り畳み椅子に関し、より詳細には折り畳んだ際の面積を可及的に小さくでき、ワンタッチで折り畳み操作が可能な折り畳み椅子に関する。
【０００２】
【従来の技術】
従来、図１４及び図１５に示すように、一体になった前脚５０及び背もたれ５１と後ろ脚５３、座面５２を軸着して、それらをＩ字状に折り畳む折り畳み椅子が公知であった（公知例としては特開平１０−２１５９７４、特開２００２−２４８０２６等）。
【０００３】
【発明が解決しようとする課題】
しかしながら、前記の公知発明においては前脚５０と背もたれ５１が一体になっているので、折り畳み面積がその分だけ大きくなり、収容や持ち運びに不便であった。
【０００４】
一方、前脚と後ろ脚を互いの中間部分で軸着することによりＩ字状からＸ字状に回動する脚部と、上記脚部上に配される座面、背もたれ及び肘掛けからなる折り畳み椅子が特開平１０−２７２０３０として公知であった。この公知発明においては、後ろ脚上部と座面前部、座面後部と背もたれ下部をそれぞれ軸着し、前脚上部が座面の前後方向に配した円弧状の案内溝に沿って摺動することにより、脚部と共に座面及び背もたれをＩ字状に閉じることを可能としているので前記の問題点は解消される。
【０００５】
しかしながら、脚部の回動と座面及び背もたれの折り畳みに関し機構上の関連性がないので、椅子の折り畳みに際しては先ず脚部を折り畳んでから、座面及び背もたれを折り畳むという二重の動作が必要であるという煩わしさがあった。又、背もたれは単に座面に対して軸着されているだけなので、組み立て状態の椅子を持ち運ぶ際に背もたれを持って運ぼうとすると、座面及び脚部が背もたれに対して揺動して不安定になる問題があった。一方、前脚上部が座面の前後方向に配した円弧状の案内溝に沿って摺動する構成を採用しているので、案内溝の周辺の強度を高める工夫が必要となり、又、円滑な折り畳みを実現するために案内溝の加工精度を高める必要もあり、コスト的に不利であった。
【０００６】
又、通常の椅子に関してはスタッキング性が考慮されても、折り畳み椅子に関しては折り畳み性にのみ意が払われ、スタッキング性に関しては考慮されていないものが多かった。
【０００７】
【課題を解決するための手段】
この発明は以上の従来技術の問題点に鑑みて創作されたものであり、前脚と後ろ脚を互いの中間部分で軸着することによりＩ字状からＸ字状に回動する脚部と、上記脚部上に配される座面、背もたれ及び肘掛けからなる折り畳み椅子において、座面後部に対し前脚上部及び背もたれ下部を軸着することにより脚部と共に座面及び背もたれをＩ字状に閉じることを可能とし、後ろ脚上部と座面の前方下部には、脚部をＸ字状に開いた際に後ろ脚上部とこれに載置される座面を係止する係止手段を設け、アーム状の肘掛けの前後端を後ろ脚上部と背もたれ中間部に軸着することにより、後ろ脚と背もたれを連結したことを特徴とする。
【０００８】
【発明の実施の形態】
以下、この発明の具体的実施例を添付図面に基づいて説明する。図１はこの発明の折り畳み椅子の折り畳み中途の状態を示す斜視図、図３は組み立て状態の斜視図、図４は折り畳み状態の斜視図である。図中符号１は脚部であり、前脚３（本願明細書では脚の着地箇所が前方に位置するものを前脚、同じく後方に位置するものを後ろ脚と称する）と後ろ脚５を互いの中間部分を軸２により軸着することによりＩ字状からＸ字状に回動するように構成される。尚、この実施例においては、前脚３及び後ろ脚５は左右一対のものがそれぞれ連結杆３Ａ、５Ａで連結された構成よりなり、後ろ脚を前脚の内側に位置させている。
【０００９】
図中符号１０は座面であり、ここでは枠体１０Ｂに座面板１０Ａを張設した構成よりなる。同じく１４は背もたれであり、やはり枠体１４Ｂに背もたれ板１０Ｂを張設した構成よりなる。上記の座面１０の後部に対し前記の前脚３の上部及び背もたれ１４の下部を軸着することにより脚部１と共に座面及び背もたれをＩ字状に閉じることを可能としている。ここでは、上下に張り出し片１３、１２を突設すると共に本体が枠体１０Ｂ後端に外嵌可能な軸着金具１１を座面１０に結合し、上記の張り出し片のそれぞれに背もたれ１４の下部及び前脚３の上部を軸着している。この場合、軸着金具１１と背もたれ１４及び前脚３の軸着にあたっては、枠体１４Ｂ後端に外嵌可能な軸着金具１５を背もたれ１４に結合すると共に、前脚の上端に外嵌可能な軸着金具４を前脚に結合し、これらの軸着金具端に開口したスリット（図中符号省略）内に軸着金具の上下の張り出し片１３、１２を挿入して軸着している（図６参照）。従って、この構成の場合は、脚部１と共に座面１０及び背もたれ１４をＩ字状に閉じた際に、座面の上面及び下面にそれぞれ背もたれ及び前脚が重合することとなる（図５参照）。又、前記したように後ろ脚５を前脚３の内側に位置させているので、Ｉ字状に閉じた際に前脚の内側に後ろ脚が納まることとなる。
【００１０】
次に、後ろ脚５の上部と座面１０の前方下部には、脚部１をＸ字状に開いた際に後ろ脚上部とこれに載置される座面を係止する係止手段が設けられると共に、アーム状の肘掛け１６の前後端が後ろ脚上部と背もたれ中間部に軸着される。この場合、ここでは後ろ脚上部に係止部材６を設けると共に、脚部をＸ字状に開いて後ろ脚上部に座面を載置する際に、上記係止部材が嵌入される係止用の溝２０を座面前方下部に設けることにより、後ろ脚上部と座面の前方下部の係止手段としている。より詳細には、ピン９で互いに回動自在に連結される一対の軸着金具７、８のそれぞれを、後ろ脚５の上端と肘掛け１６の前端に外嵌して結合することにより（図２参照）、後ろ脚上部と肘掛けの軸着手段とし、上記ピンの長さを座面１０の枠体１０Ｂの前方下部に設けられる係止用の溝２０に嵌入可能な長さとすることにより、後ろ脚上部と座面の前方下部の係止手段を構成する後ろ脚上部の係止部材６を兼ねさせている（図７及び８参照）。この場合、Ｘ字状に開いた脚部１上に、軸着金具１１により軸着されて擺動する座面１０の前方を載置すれば、係止部材６のピン９上に座面の係止用の溝２０が落とし込まれて係止する。ここでは、更に、不用意に両者が離脱しないように、図９に示すように溝２０内に左右の溝壁よりバネ２２、２２に附勢されたボール２１、２１を突出させ、溝内に嵌入したピン９を上記ボールを押し広げながら通過して溝底に進入させることにより抜け止め作用を実現している。
【００１１】
前記の肘掛け１６の後端には軸着金具１７が外嵌して結合され、この軸着金具をもって背もたれ１４の枠体１４Ｂの中間部に軸着している。この肘掛け１６は上方に湾曲した形状に構成されると共に、その前後端を後ろ脚上部と背もたれ中間部に軸着するに際し、軸着位置を脚部１、座面１０、背もたれ１４より外側に設定する。上記の構成により、脚部１、座面１０、背もたれ１４をＩ字状に折り重ねた際に、それらの外側に上方に湾曲して突出した一対の肘掛け１６、１６が位置することになり、椅子同士を積み重ねた際の横ずれ防止作用が実現されることとなる（図４参照）。
【００１２】
尚、以上の実施例においては各軸着金具はステンレス等の金属製とし、これが外嵌される座面の枠体、前脚、後ろ脚、背もたれの枠体、肘掛けを木製としている。
【００１３】
【発明の効果】
以上の構成よりなるこの発明は次の特有の効果を奏する。
（１）  前脚と後ろ脚がＩ字状からＸ字状に回動する脚部に対し背もたれ及び座面を軸着することにより折り畳み可能としているので、折り畳んだ際の面積を可及的に小さくでき、収納及び運搬が容易な折り畳み椅子が実現される。
（２）  座面後部に対し前脚上部及び背もたれ下部を軸着すると共に、アーム状の肘掛けの前後端を後ろ脚上部と背もたれ中間部に軸着しているので、前脚、後ろ脚、背もたれ、肘掛けが軸により順次連結されたリンク機構が実現され、脚部のＩ字状からＸ字状の開閉動作と連動して背もたれが折り畳まれることになり、ワンタッチで折り畳み、組み立て操作を行うことができる。
（３）  Ｘ字状に開いた脚部上に、擺動する座面の前方を載置すれば、係止部材のピン上に座面の係止用の溝が落とし込まれて係止するので組み立て時の固定をワンタッチで行うことができ、一方、座面の前方を上方に持ち上げて係止状態を離脱させれば、重力により床方向に折り畳まれるので操作が容易である。
（４）  脚部、座面、背もたれをＩ字状に折り重ねた際に、それらの外側に上方に湾曲して突出した一対の肘掛けが位置するのでり、椅子同士を積み重ねた際の横ずれ防止作用が実現され、スタッキング性が良好となり、折り畳み時の面積が小さいことも相まって、特に車載用に最適な折り畳み椅子が実現される。
（５）  各軸着金具を金属製とし、これが外嵌される座面の枠体、前脚、後ろ脚、背もたれの枠体、肘掛けを木製とすることにより、力のかかる軸着箇所を金具で補強できるので、木製部分を細くすることが可能となり、軽量且つデザイン上の自由度が高い折り畳み椅子が実現される。
【図面の簡単な説明】
【図１】この発明の折り畳み椅子の折り畳み中途の状態を示す斜視図。
【図２】図１のＡ箇所の拡大斜視図。
【図３】この発明の折り畳み椅子の組み立て状態を示す斜視図。
【図４】同上、折り畳み状態を示す斜視図。
【図５】同上、折り畳み状態を示す裏面から観察した斜視図。
【図６】同上、要部の拡大斜視図。
【図７】同上、要部の裏面から観察した拡大斜視図。
【図８】同上、要部の裏面から観察した拡大斜視図。
【図９】同上、係止用溝２０箇所の断面図。
【図１０】この発明の折り畳み椅子の組み立て状態を示す側面図。
【図１１】この発明の折り畳み椅子の折り畳み中途の状態を示す側面図。
【図１２】この発明の折り畳み椅子の折り畳み中途の状態を示す側面図。
【図１３】この発明の折り畳み椅子の折り畳み状態を示す側面図。
【図１４】従来技術の折り畳み椅子の組み立て状態を示す斜視図。
【図１５】従来技術の折り畳み椅子の折り畳み状態を示す斜視図。
【符号の説明】
１        脚部
３        前脚
５        後ろ脚
６        係止手段
１０      座面
１４      背もたれ
１６      肘掛け
２０      係止用の溝
【図１】
2004344438.tif 000003
【図２】
2004344438.tif 000004
【図３】
2004344438.tif 000005
【図４】
2004344438.tif 000006
【図５】
2004344438.tif 000007
【図６】
2004344438.tif 000008
【図７】
2004344438.tif 000009
【図８】
2004344438.tif 000010
【図９】
2004344438.tif 000011
【図１０】
2004344438.tif 000012
【図１１】
2004344438.tif 000013
【図１２】
2004344438.tif 000014
【図１３】
2004344438.tif 000015
【図１４】
2004344438.tif 000016
【図１５】
2004344438.tif 000017